(57)【要約】      （修正有）【課題】正確な焦点検出を行いつつ、ゴーストやフレアがない撮影画像を得る。【解決手段】ハーフミラー２１は、撮影レンズ１０ａを通過した被写体光束Ｌを反射光束Ｌ１と透過光束Ｌ２とに分割するミラーダウン位置と、被写体光束Ｌの光路から退避して被写体光束Ｌを撮像素子２２へ導くミラーアップ位置との間で移動する。輝度判定部２７ｃは、ミラーダウン位置で測光センサ２４からの被写体像の輝度検出信号に基づいて被写体輝度が所定の閾値以上であるか否かを判定する。被写体輝度が所定の閾値未満である場合は、第２の焦点調節部２７ｂは、ＡＦセンサ２３からの焦点検出信号に基づいて焦点調節を行い、透過光束Ｌ２の被写体像を撮像する。被写体輝度が所定の閾値以上である場合は、ハーフミラー２１をミラーアップ位置へ駆動させ、第１の焦点調節部２７ａは、撮像素子２２からの焦点検出信号に基づいて焦点調節を行い、被写体光束Ｌの被写体像を撮像する。【選択図】図１
2012225997.tif 000002
【特許請求の範囲】
【請求項１】
撮影レンズを介して入射した被写体光束を光電変換することで電気信号として出力する撮影動作と、前記被写体光束を光電変換して出力される電気信号に基づいて前記撮影レンズの被写体への合焦位置を検出する合焦位置検出動作とを行う撮像手段と、
前記撮像手段の合焦位置検出結果に基づき前記撮影レンズの焦点位置調節を行う第１の焦点位置調節手段と、
前記撮影レンズの被写体への合焦位置を検出する合焦位置検出手段と、
前記合焦位置検出手段の合焦位置検出結果に基づき前記撮影レンズの焦点位置調節を行う第２の焦点位置調節手段と、
前記撮影レンズを通過した被写体光束の光路を前記撮像手段への光路と前記合焦位置検出手段への光路とに分割する第１の姿勢と、前記被写体光束の光路から退避して前記被写体光束を前記撮像手段へ導く第２の姿勢とをとる可動式の半透過反射部材と、
前記被写体の輝度を検出する輝度検出手段と、を備え、
前記半透過反射部材が前記第１の姿勢をとっているとき、前記輝度検出手段の検出結果が所定値未満である場合は、前記第２の焦点位置調節手段による前記焦点位置調節後に前記撮像手段による前記撮影動作を行い、
前記輝度検出手段の検出結果が所定値以上である場合は、前記半透過反射部材を前記第１の姿勢から前記第２の姿勢とし、前記第１の焦点位置調節手段による前記焦点位置調節後に前記撮像手段による前記撮影動作を行うことを特徴とする撮像装置。
【請求項２】
撮影レンズを介して入射した被写体光束を光電変換することで電気信号として出力する撮影動作と、前記被写体光束を光電変換して出力される電気信号に基づいて前記撮影レンズの被写体への合焦位置を検出する合焦位置検出動作とを行う撮像手段と、
前記撮像手段の合焦位置検出結果に基づき前記撮影レンズの焦点位置調節を行う焦点位置調節手段と、
前記被写体を観察可能とするファインダと、
前記撮影レンズを通過した被写体光束の光路を前記撮像手段への光路と前記ファインダへの光路とに分割する第１の姿勢と、前記被写体光束の光路から退避して前記被写体光束を前記撮像手段へ導く第２の姿勢とをとる可動式の半透過反射部材と、
前記被写体の輝度を検出する輝度検出手段と、を備え、
前記半透過反射部材が前記第１の姿勢をとっているとき、前記輝度検出手段の検出結果が所定値未満である場合は、前記焦点位置調節手段による前記焦点位置調節後に前記撮像手段による前記撮影動作を行い、
前記輝度検出手段の検出結果が所定値以上である場合は、前記半透過反射部材を前記第１の姿勢から前記第２の姿勢とし、前記焦点位置調節手段による前記焦点位置調節後に前記撮像手段による前記撮影動作を行うことを特徴とする撮像装置。
【請求項３】
請求項１または２に記載の撮像装置において、
前記輝度検出手段は、前記撮像手段が出力する電気信号に基づいて被写体の輝度を検出することを特徴とする撮像装置。
【請求項４】
請求項１または２に記載の撮像装置において、
前記輝度検出手段は、前記被写体光束を測光する測光手段を有し、前記測光手段が出力する電気信号に基づいて被写体の輝度を検出することを特徴とする撮像装置。
【請求項５】
請求項１〜４のいずれか１項に記載の撮像装置において、
前記輝度検出手段または前記撮像手段の電気信号に基づき適正露出値を演算し、前記適正露出値に基づき前記撮像手段の露出条件を制御する露出制御手段を更に備え、
前記露出制御手段は、前記半透過反射部材が前記第１の姿勢をとっているとき、前記輝度検出手段の出力が所定値未満である場合は、前記輝度検出手段の電気信号に基づき露出制御を行い、前記輝度検出手段の出力が所定値以上である場合は、前記半透過反射部材を前記第１の姿勢から前記第２の姿勢として前記撮像手段による電気信号に基づいて露出制御を行うことを特徴とする撮像装置。
【請求項６】
請求項１または２に記載の撮像装置において、
前記輝度検出手段の出力が前記所定値以上であるときに、前記輝度検出手段の出力が前記所定値以上であることをユーザーに報知する報知手段と、
前記半透過反射部材を前記第１の姿勢から前記第２の姿勢へ切替駆動する反射部材駆動手段とを更に備えることを特徴とする撮像装置。
【発明の詳細な説明】
【技術分野】
【０００１】
本発明は、デジタルカメラなどの撮像装置に関する。
【背景技術】
【０００２】
撮影光学系の光路上に可動式のハーフミラーを設けた電子カメラが知られている。（例えば、特許文献１参照）。特許文献１に記載の電子カメラは、ハーフミラーが光路上にある時には、ハーフミラーで反射した被写体光束をファインダ光学系へ導くと共に、ハーフミラーを透過した被写体光束を撮像素子へ導き、ハーフミラーが撮影光学系の光路から退避している時には、撮像素子のみに被写体光束を導く構造になっている。特許文献１に記載の電子カメラでは、ハーフミラーがいずれの状態にあるときでも、撮像素子の出力に基づいてオートフォーカス（ＡＦ）や自動露出制御（ＡＥ）を行う。
【先行技術文献】
【特許文献】
【０００３】
【特許文献１】特開２０００−０３２３２３号公報
【発明の概要】
【発明が解決しようとする課題】
【０００４】
このような電子カメラで撮影を行う際、被写体中に輝度の高い領域があると、その高輝度領域からの光束が撮影光学系およびハーフミラーなどの半透過反射部材を通過する時に内部で多重反射を起こし、ゴーストやフレアと呼ばれる現象が発生することがある。特に、ゴーストやフレアは、光束がハーフミラーを通過する時に発生し易い。ゴーストやフレアが発生すると、撮影画像中にゴーストやフレアが写ってしまうため、撮影画像の出来栄えに悪影響を及ぼす。また、ゴーストやフレアは撮影時の精確な焦点検出の妨げとなるおそれがある。
【課題を解決するための手段】
【０００５】
請求項１の発明に係る撮像装置は、撮影レンズを介して入射した被写体光束を光電変換することで電気信号として出力する撮影動作と、前記被写体光束を光電変換して出力される電気信号に基づいて前記撮影レンズの被写体への合焦位置を検出する合焦位置検出動作とを行う撮像手段と、前記撮像手段の合焦位置検出結果に基づき前記撮影レンズの焦点位置調節を行う第１の焦点位置調節手段と、前記撮影レンズの被写体への合焦位置を検出する合焦位置検出手段と、前記合焦位置検出手段の合焦位置検出結果に基づき前記撮影レンズの焦点位置調節を行う第２の焦点位置調節手段と、前記撮影レンズを通過した被写体光束の光路を前記撮像手段への光路と前記合焦位置検出手段への光路とに分割する第１の姿勢と、前記被写体光束の光路から退避して前記被写体光束を前記撮像手段へ導く第２の姿勢とをとる可動式の半透過反射部材と、前記被写体の輝度を検出する輝度検出手段と、を備え、前記半透過反射部材が前記第１の姿勢をとっているとき、前記輝度検出手段の検出結果が所定値未満である場合は、前記第２の焦点位置調節手段による前記焦点位置調節後に前記撮像手段による前記撮影動作を行い、前記輝度検出手段の検出結果が所定値以上である場合は、前記半透過反射部材を前記第１の姿勢から前記第２の姿勢とし、前記第１の焦点位置調節手段による前記焦点位置調節後に前記撮像手段による前記撮影動作を行うことを特徴とする。
【発明の効果】
【０００６】
本発明の撮像装置によれば、半透過反射部材に起因するゴーストやフレアが発生するのを防ぐことができる。
【図面の簡単な説明】
【０００７】
【図１】本発明の第１の実施の形態に係る撮像装置の構成を示す概略図である。
【図２】第１の実施の形態に係る撮像装置の動作を示すフローチャートである。
【図３】本発明の第２の実施の形態に係る撮像装置の構成を示す概略図である。
【図４】第２の実施の形態に係る撮像装置の動作を示すフローチャートである。
【発明を実施するための形態】
【０００８】
本発明の実施の形態による撮像装置（例えば、デジタルカメラ）について、図１〜４を参照しながら説明する。
−第１の実施の形態−
＜構成＞
図１に示されるように、デジタルカメラ１は、レンズ鏡筒１０及びカメラボディ２０を備える。レンズ鏡筒１０には、図示しないフォーカシングレンズ、ズーミングレンズ、絞りなどを有する撮影レンズ系１０ａ及びレンズ駆動部２８が収納されている。カメラボディ２０には、可動式のハーフミラー２１、撮像素子２２、ＡＦセンサ２３、測光センサ２４、電子ビューファインダ２６、演算制御部２７及びミラー駆動部２９が収納され、カメラボディ２０の外面には、ハーフミラー２１を手動で動かすためのミラー操作部材３１が設けられている。
【０００９】
ハーフミラー２１は、透明基板の表面に所定厚さの反射膜、裏面に反射防止膜が形成され、入射する光を透過光と反射光とに分割する光学素子である。ハーフミラー２１は、撮影レンズ系１０ａを通過した被写体光束Ｌの光路上に位置する第１の姿勢（以下、ミラーダウンの位置）と、被写体光束Ｌの光路上から退避した第２の姿勢（以下、ミラーアップの位置）との間で移動可能に構成されている。なお、符号２１Ａは、ミラーアップの位置にあるハーフミラー２１を示す。
【００１０】
ハーフミラー２１は、ミラーダウンの位置にあるときは、被写体光束Ｌのうちの一部を透過して透過光束Ｌ２として撮像素子２２へ導くと共に、被写体光束Ｌの残部を反射して反射光束Ｌ１としてＡＦセンサ２３及び測光センサ２４へ導く。反射光束Ｌ１は、不図示の分岐光学系により２つの光束に分岐されてＡＦセンサ２３、測光センサ２４へそれぞれ導かれる。また、ハーフミラー２１が符号２１Ａで示すミラーアップの位置にあるときは、被写体光束Ｌはすべて撮像素子２２へ導かれる。
【００１１】
撮像素子２２は、電荷蓄積型のＣＣＤイメージセンサやＣＭＯＳイメージセンサなどから構成され、撮影レンズ系１０ａによって形成された被写体像を光電変換して、画像信号としての電気信号を出力すると共に、焦点検出信号としての電気信号を出力する。
焦点検出信号は、本実施の形態にあってはコントラスト式焦点検出用の信号であるが、瞳分割の位相差式焦点検出用の信号でもよい。
【００１２】
ＡＦセンサ２３は、電荷蓄積型のＣＣＤイメージセンサやＣＭＯＳイメージセンサなどから構成され、撮影レンズ系１０ａによって形成された被写体像を光電変換して焦点検出信号を出力する。ＡＦセンサ２３は、焦点検出専用のエリアセンサである。ＡＦセンサ２３の焦点検出信号は、本実施の形態にあっては瞳分割の位相差式焦点検出用の信号であるが、コントラスト式焦点検出用の信号でもよい。
【００１３】
測光センサ２４は、撮影レンズ系１０ａによって形成された被写体像の輝度を被写体像全体にわたって検出し、輝度検出信号を出力する。被写体像の輝度検出信号から被写体の輝度分布が得られる。
【００１４】
電子ビューファインダ２６は、不図示の液晶素子と接眼レンズ２６ａとを有し、撮像素子２２からの画像信号に基づき液晶素子に被写体のスルー画像、即ちライブビュー画像を表示する。撮影者は、接眼レンズ２６ａを介してライブビュー画像を観察する。なお、デジタルカメラ１の背面に液晶モニタ（図示しない）を設け、液晶モニタによってライブビュー画像を観察するようにしてもよい。また、電子ビューファインダ２６と液晶モニタと両方にライブビュー画像を表示してもよい。
【００１５】
演算制御部２７は、撮像素子２２からの焦点検出信号に基づき焦点調節を行う第１の焦点調節部２７ａと、ＡＦセンサ２３からの焦点検出信号に基づき焦点調節を行う第２の焦点調節部２７ｂと、測光センサ２４からの輝度検出信号に基づいて被写体像の輝度が所定の閾値以上か否かを判定する輝度判定部２７ｃと、撮像素子２２からの電気信号又は測光センサ２４からの輝度検出信号に基づいて撮像素子２２への露光量が最適となるように撮影レンズ系１０ａの絞り値や撮像素子２２の蓄積時間などを制御する露出制御部２７ｄとを有する。
なお、輝度判定部２７ｃは、測光センサ２４からの輝度検出信号の代わりに、撮像素子２２からの電気信号に基づいて被写体輝度が所定の閾値以上か否かを判定することもできる。
【００１６】
第１の焦点調節部２７ａは、撮像素子２２からの焦点検出信号に基づきコントラスト評価値を算出して、さらにコントラスト評価値に基づき合焦位置を算出する。そして、レンズ駆動部２８を制御して撮影レンズ系１０ａのフォーカシングレンズを合焦位置に駆動する。
具体的には、第１の焦点調節部２７ａは、撮影レンズ系１０ａの焦点位置を様々に変化させて焦点検出信号を取得し、これらの焦点検出信号の各々についてコントラスト評価値を算出する。そして、コントラスト評価値に基づき合焦位置を算出することで、フォーカシングレンズを合焦位置に駆動する。
【００１７】
第２の焦点調節部２７ｂは、ＡＦセンサ２３からの位相差式の一対の焦点検出信号の位相差を検出して、位相差からデフォーカス量を算出する。そして、デフォーカス量に基づきレンズ駆動部２８を制御して、撮影レンズ系１０ａのフォーカシングレンズを合焦位置に駆動する。
【００１８】
輝度判定部２７ｃは、上述のように、測光センサ２４が検出した被写体輝度が所定の閾値以上であるか、所定の閾値未満であるかを判定する。この所定の閾値は、例えば、被写体光束がハーフミラー２１を透過した時に、撮影画像中のゴーストやフレアの発生、または焦点検出精度の低下の原因となるゴーストやフレアが発生するような輝度値に定められている。
なお、演算制御部２７は、被写体輝度が所定の閾値以上である場合に、ゴーストやフレアの発生を表示又は音声で報知する。
【００１９】
露出制御部２７ｄは、輝度判定部２７ｃによって被写体輝度が所定の閾値未満であると判定された場合は、測光センサ２４からの輝度検出信号に基づいて撮影レンズ系１０ａの絞り値や撮像素子２２の電荷蓄積時間などを制御する。一方、輝度判定部２７ｃによって被写体輝度が所定の閾値以上であると判定された場合は、撮像素子２２からの電気信号に基づいて撮影レンズ１０系ａの絞り値や撮像素子２２の電荷蓄積時間などを制御する。
【００２０】
また、演算制御部２７は、撮影レンズ系１０ａ、撮像素子２２、レンズ駆動部２８及びミラー駆動部２９の動作を制御する。
レンズ駆動部２８は、コントラスト検出式の第１の焦点調節部２７ａによって算出されたレンズ駆動量、或いは瞳分割型位相差検出式の第２の焦点調節部２７ａによって算出されたレンズ駆動量に基づき、フォーカシングレンズを光軸方向に移動させる。
【００２１】
ミラー駆動部２９は、撮影レンズ系１０ａを通過した被写体光束Ｌの光路上にハーフミラー２１が位置するミラーダウン位置と、被写体光束Ｌの光路上からハーフミラー２１が退避したミラーアップ位置との間でハーフミラー２１を回転移動させる。
ミラー操作部材３１は、ミラー駆動部２９を使用せずに、手動操作によってハーフミラー２１を回転移動させるための操作部材である。
【００２２】
＜撮影動作＞
以上のように構成されたデジタルカメラ１による撮影動作を図２のフローチャートを参照して説明する。
撮影者がデジタルカメラ１の電源を投入し、ステップＳ１１で、不図示のレリーズボタンを半押しする。このとき、ハーフミラー２１はミラーダウン位置にあり、被写体光束Ｌを反射光束Ｌ１と透過光束Ｌ２とに分割する。反射光束Ｌ１はＡＦセンサ２３及び測光センサ２４にそれぞれ入射し、透過光束Ｌ２は撮像素子２２に入射する。この時には、撮影者は電子ビューファインダ２６を介して被写体のライブビュー画像を観察することができる。
【００２３】
ステップＳ１２では、ＡＦセンサ２３が反射光束Ｌ１に基づく位相差式の焦点検出信号を出力する。演算制御部２７の第２の焦点調節部２７ｂは、ＡＦセンサ２３からの位相差式の焦点検出信号に基づいてデフォーカス量を算出し、フォーカシングレンズを合焦位置まで焦点調節駆動する。この第２の焦点調節部２７ｂによる焦点調節動作は、ハーフミラー２１がミラーダウン位置にある間、繰り返し行われる。
【００２４】
ステップＳ１３では、演算制御部２７の輝度判定部２７ｃは、測光センサ２４からの輝度検出信号に基づき、被写体輝度が所定の閾値以上であるか、所定の閾値未満であるかを判定する。
【００２５】
輝度判定部２７ｃが、被写体輝度が所定の閾値以上であると判定した場合、即ち被写体輝度がハーフミラー２１においてゴーストやフレアを発生させるような高輝度であると判定した場合には、ステップＳ１４へ進む。一方、輝度判定部２７ｃが、被写体輝度が所定の閾値未満であると判定した場合、即ち被写体輝度がハーフミラー２１においてゴーストやフレアを発生させることのない低輝度であると判定した場合には、ステップＳ１９に進む。
【００２６】
ステップＳ１４では、演算制御部２７は、ハーフミラー２１をミラーアップ位置とするようにミラー駆動部２９に対して指令信号を送出し、指定信号に応じてミラー駆動部２９がハーフミラー２１をミラーアップ位置に移動させる。ミラーアップ位置へのハーフミラー２１の移動によって、撮像素子２２に被写体像が結像する。
【００２７】
ステップＳ１５では、撮像素子２２は、焦点検出信号を第１の焦点調節部２７ａへ出力する。第１の焦点調節部２７ａは、焦点検出信号に基づいて合焦位置を算出し、レンズ駆動部２８を介して撮影レンズ系１０ａのフォーカシングレンズを合焦位置に駆動する。なお、ステップＳ１４におけるハーフミラー２１のミラーアップ位置への移動により合焦位置がずれるため、ステップＳ１５において再度焦点調節を行うことで精確な焦点検出ができる。
【００２８】
上述の第１の焦点調節部２７ａによる焦点調節動作に並行して、露出制御部２７ｄは、撮像素子２２からの電気信号に基づいて露出制御を行う。ステップＳ１６では、撮影者が不図示のレリーズボタンを全押しすることによって撮影動作が実行され、ステップＳ１７で、撮像素子２２からの画像信号が所定の画像処理を施されて、記録媒体に記録される。
【００２９】
ステップＳ１８で、ミラー駆動部２９がミラーアップ位置のハーフミラー２１をミラーダウン位置に復帰させる。
【００３０】
一方、ステップＳ１３で、被写体輝度が所定の閾値未満であると判定された場合は、ハーフミラー２１はミラーダウン位置のまま維持され、ステップＳ１９で、撮影者が不図示のレリーズボタンを全押しすることによって第２の焦点調節部２７ｂによる焦点調節及び露出制御部２７ｄによる露出制御の下で、撮影動作が実行される。ステップＳ２０で、撮像素子２２からの画像信号が所定の画像処理を施されて、記録媒体に記録される。
【００３１】
以上のように、被写体輝度が所定の閾値以上である場合は、ハーフミラー２１をミラーアップ位置へ移動してから、焦点調節し撮像を行う。したがってハーフミラー２１に起因するゴーストやフレアの発生を防ぎ、精確な焦点調節を行うことができると共に、撮影画像中にゴーストやフレアが写るのを抑えることができる。
【００３２】
第１の実施の形態によるデジタルカメラ１によれば、以下の作用効果を奏する。
（１）被写体輝度が所定の閾値以上であると判定した場合には、ハーフミラー２１をミラーアップ位置に移動することで、ハーフミラー２１に起因するゴーストやフレアを防ぎ、撮像素子２２で撮像と焦点検出を行うことで精確な焦点調節と、撮影画像中のゴーストやフレアの写りを抑えて見栄えの良い撮影画像を得ることができる。
（２）被写体輝度が所定の閾値未満の場合は、被写体像にはゴーストやフレアが発生せず、ハーフミラー２１の透過光束Ｌ２により撮像素子２２が撮像を行い、反射光束Ｌ１によりＡＦセンサ２３が焦点検出を行うので、撮影時にハーフミラー２１をミラーアップ位置へ駆動する必要がないため、高速連写が可能になると共に、レリーズボタンを操作してから撮影開始までのタイムラグを小さくすることができる。
【００３３】
第１の実施の形態の変形例は以下の通りである。
（１）第１の実施の形態では、被写体像輝度検出用の測光センサ２４を設け、ハーフミラー２１がミラーダウン位置にあるときには測光センサ２４からの電気信号に基づいて被写体像の輝度検出を行っているが、測光センサ２４を設けずに、ミラーダウン、ミラーアップに関係なく撮像素子２２からの電気信号に基づいて輝度検出を行ってもよい。
（２）第１の実施の形態では、ハーフミラー２１がミラーダウン位置にあるときには、測光センサ２４の輝度検出信号に基づき、輝度判定部２７ｃが高輝度判定を行うと共に露出制御部２７ｄが露出制御を行ったが、自動露出制御のための専用のＡＥセンサを別に設けてもよい。
（３）第１の実施の形態では、ＡＦセンサ２３は、ハーフミラー２１がミラーダウン位置にあるときに反射光束Ｌ１が入射する位置に配設しているが、ハーフミラー２１の後方（図１中で右側）に半透過型のサブミラーを配置して、サブミラーによる反射光が入射する位置に配設してもよい。同様に、測光センサ２４または上述した専用のＡＥセンサをサブミラーによる反射光が入射する位置に配設してもよい。
（４）第１の実施の形態では、ミラー駆動部２９が演算制御部２７からの指令信号に応じてハーフミラー２１の駆動を行ったが、撮影者がミラー操作部材３１を操作してハーフミラー２１を手動で回転移動させてもよい。
（５）第１の実施の形態のハーフミラー２１の代りに、これと同様の光束分割機能を有するペリクルミラーを用いてもよい。
【００３４】
−第２の実施の形態−
上述の第１の実施の形態のデジタルカメラ１はＡＦセンサ２３を備えていたが、図３に示す第２の実施の形態のデジタルカメラ２はＡＦセンサ２３を備えていない。デジタルカメラ２はＡＦセンサ２３を備えていないので、デジタルカメラ１が備えていた第２の焦点調節部２７ｂも備えていない。また、デジタルカメラ１は電子ビューファインダ２６を備えていたのに対し、デジタルカメラ２は光学ファインダ３２を備えている点でも相違する。これらの相違点を除くと、デジタルカメラ２の構成は、デジタルカメラ１の構成と同様であるので、本実施の形態では、対応する構成部品には同一符号を付し、主として上述した構成上の相違点を説明する。
【００３５】
＜構成＞
図３に示されるように、光学ファインダ３２は、ハーフミラー２１がミラーダウン位置にあるときにハーフミラー２１で反射した反射光束Ｌ１が入射する位置に配設されている。光学ファインダ３２は、反射光束Ｌ１の被写体像をスクリーン（不図示）上に結像させ、その像を観察する方式のファインダである。撮影者は、撮影レンズ１０ａによって結像された像そのものを観察する。デジタルカメラ２は、光学ファインダ３２を備えているので、電子ビューファインダは不要となる。
【００３６】
なお、ハーフミラー２１がミラーダウン位置にあるときには、透過光束Ｌ２の被写体像が撮像素子２２上に結像する。符号２１Ａは、ミラーアップ位置にあるハーフミラー２１を示し、ミラーアップ位置では、光学ファインダ３２による像の観察はできず、被写体光束Ｌの被写体像が撮像素子２２上に結像する。
【００３７】
デジタルカメラ２はＡＦセンサ２３を備えていないため、ハーフミラー２１のミラーダウン、ミラーアップに関係なく撮像素子２２からの電気信号に基づいて撮影レンズ１０ａの合焦位置の検出を行わなければならない。演算制御部２７の第１の焦点調節部２７ａは、ハーフミラー２１がミラーダウン位置にあるときには、ハーフミラー２１を透過した透過光束Ｌ２を用いて焦点検出を行い、ハーフミラー２１がミラーアップ位置にあるときには、被写体光束Ｌを用いて焦点検出を行う。
【００３８】
＜撮影動作＞
以上のように構成されたデジタルカメラ１による撮影動作を図４のフローチャートを参照して説明する。
撮影者がデジタルカメラ１の電源を投入し、ステップＳ３１で、不図示のレリーズボタンを半押しする。このとき、ハーフミラー２１はミラーダウン位置にあり、被写体光束Ｌを反射光束Ｌ１と透過光束Ｌ２とに分割する。反射光束Ｌ１は光学ファインダ３２に入射し、透過光束Ｌ２は撮像素子２２に入射する。この時には、撮影者は光学ファインダ３２を介して被写体のライブビュー画像を観察することができる。
【００３９】
ステップＳ３２では、撮像素子２２が透過光束Ｌ２に基づくコントラスト式の焦点検出信号を出力する。演算制御部２７の第１の焦点調節部２７ａは、撮像素子２２からのコントラスト式の焦点検出信号に基づいてコントラスト値を算出し、フォーカシングレンズを合焦位置まで焦点調節駆動する。第１の焦点調節部２７ａによる焦点調節動作は、ハーフミラー２１がミラーダウン位置にある間、繰り返し行われる。
【００４０】
ステップＳ３３では、演算制御部２７の輝度判定部２７ｃは、測光センサ２４からの輝度検出信号に基づき、被写体輝度が所定の閾値以上であるか、所定の閾値未満であるかを判定する。
【００４１】
輝度判定部２７ｃが、被写体輝度が所定の閾値以上であると判定した場合、即ち被写体輝度がハーフミラー２１においてゴーストやフレアを発生させるような高輝度であると判定した場合には、ステップＳ３４へ進む。一方、輝度判定部２７ｃが、被写体輝度が所定の閾値未満であると判定した場合、即ち被写体輝度がハーフミラー２１においてゴーストやフレアを発生させることのない低輝度であると判定した場合には、ステップＳ３９に進む。
【００４２】
ステップＳ３４では、演算制御部２７は、ハーフミラー２１をミラーアップ位置とするようにミラー駆動部２９に対して指令信号を送出し、指定信号に応じてミラー駆動部２９がハーフミラー２１をミラーアップ位置に移動させる。ミラーアップ位置へのハーフミラー２１の移動によって、撮像素子２２に被写体像が結像する。
【００４３】
ステップＳ３５では、撮像素子２２は、焦点検出信号を第１の焦点調節部２７ａへ出力する。第１の焦点調節部２７ａは、焦点検出信号に基づいて合焦位置を算出し、レンズ駆動部２８を介して撮影レンズ１０ａのフォーカシングレンズを合焦位置に駆動する。なお、ステップＳ３４におけるハーフミラー２１のミラーアップ位置への移動により合焦位置がずれるため、ステップＳ１５において再度焦点調節を行うことで精確な焦点検出ができる。
【００４４】
上述の第１の焦点調節部２７ａによる焦点調節動作に並行して、露出制御部２７ｄは、撮像素子２２からの電気信号に基づいて露出制御を行う。ステップＳ３６では、撮影者が不図示のレリーズボタンを全押しすることによって撮影動作が実行され、ステップＳ３７で、撮像素子２２からの画像信号が所定の画像処理を施されて、記録媒体に記録される。
【００４５】
ステップＳ３８で、ミラー駆動部２９がミラーアップ位置のハーフミラー２１をミラーダウン位置に復帰させる。
【００４６】
一方、ステップＳ３３で、被写体輝度が所定の閾値未満であると判定された場合は、ハーフミラー２１はミラーダウン位置のまま維持され、ステップＳ３９で、撮影者が不図示のレリーズボタンを全押しすることによって第１の焦点調節部２７ａによる焦点調節及び露出制御部２７ｄによる露出制御の下で、撮影動作が実行される。ステップＳ４０で、撮像素子２２からの画像信号が所定の画像処理を施されて、記録媒体に記録される。
【００４７】
以上のように、被写体輝度が所定の閾値以上である場合には、ハーフミラー２１をミラーアップ位置へ移動してから、焦点調節し撮像を行う。したがってハーフミラー２１に起因するゴーストやフレアの発生を防ぎ、精確な焦点調節を行うことができると共に、撮影画像中にゴーストやフレアが写るのを抑えることができる。
【００４８】
第２の実施の形態によるデジタルカメラ２によれば、以下の作用効果を奏する。
（１）被写体輝度が所定の閾値以上であると判定した場合には、ハーフミラー２１をミラーアップ位置に移動することで、ハーフミラー２１に起因するゴーストやフレアを防ぎ、撮像素子２２で撮像と焦点検出を行うことで精確な焦点調節と、撮影画像中のゴーストやフレアの写りを抑えて見栄えの良い撮影画像を得ることができる。
（２）被写体輝度が所定の閾値未満の場合は、被写体像にはゴーストやフレアが発生せず、ハーフミラー２１の透過光束Ｌ２により撮像素子２２が撮像と焦点検出を行い、反射光束Ｌ１が光学ファインダ３２へ入射するので、撮影時でも被写体像を観察することができる。また、撮影時にハーフミラー２１をミラーアップ位置へ駆動する必要がないため、高速連写が可能になると共に、レリーズボタンを操作してから撮影開始までのタイムラグを小さくすることができる。
（３）第２の実施の形態によるデジタルカメラ２は、ＡＦセンサ２３を備えていないため、第１の実施の形態によるデジタルカメラ１と比べて構成を簡素化できる。
【００４９】
本発明は、その特徴を損なわない限り、以上説明した実施の形態に何ら限定されない。
【符号の説明】
【００５０】
１、２：デジタルカメラ              １０：レンズ鏡筒
１０ａ：撮影レンズ系                ２０：カメラボディ
２１、２１Ａ：ハーフミラー          ２２：撮像素子
２３：ＡＦセンサ                    ２４：測光センサ
２６：電子ビューファインダ          ２７：演算制御部
２７ａ：第１の焦点調節部            ２７ｂ：第２の焦点調節部
２７ｃ：輝度判定部                  ２７ｄ：露出制御部
２８：レンズ駆動部                  ２９：ミラー駆動部
３１：ミラー操作部材                ３２：光学ファインダ
Ｌ：被写体光束                      Ｌ１：反射光束
Ｌ２：透過光束
【図１】
2012225997.tif 000003
【図２】
2012225997.tif 000004
【図３】
2012225997.tif 000005
【図４】
2012225997.tif 000006